【手続補正書】
【提出日】平成22年7月29日(2010.7.29)
【手続補正１】
【補正対象書類名】明細書
【補正対象項目名】０００１
【補正方法】変更
【補正の内容】
【０００１】
本発明は、パチンコ機の外枠用縦枠材及び該縦枠材を用いて成るパチンコ機用外枠に関するものである。
【手続補正２】
【補正対象書類名】明細書
【補正対象項目名】０００９
【補正方法】変更
【補正の内容】
【０００９】
前記課題を解決するために本発明は、矩形の金属板を複数回長手方向に沿って折り曲げ成形されたものであって、該金属板の短手方向両端の折り曲げ成形された一端側縁部と、他端側縁部が重ね合わされてなることを特徴とする、パチンコ機の外枠用縦枠材である。
【手続補正３】
【補正対象書類名】明細書
【補正対象項目名】００１０
【補正方法】変更
【補正の内容】
【００１０】
特に、前記一端側縁部と他端側縁部とは、前記一端側縁部に穴部、他端側縁部に切り起こしによる爪部を設け、前記穴部と前記爪部との係合によって結合されているものである。
【手続補正４】
【補正対象書類名】明細書
【補正対象項目名】００１１
【補正方法】変更
【補正の内容】
【００１１】
また、前記爪部は、前記他端側縁部の縁端から所定幅の位置において切り込まれた部位をその先端部が斜めに突出するように折り曲げて形成された金属片であって、前記爪部が前記穴部に嵌入して前記先端部が前記穴部の内面に当接した状態に維持されて前記爪部と前記穴部との係合がなされる、ことを特徴とする。
【手続補正５】
【補正対象書類名】明細書
【補正対象項目名】００１２
【補正方法】変更
【補正の内容】
【００１２】
また、前記爪部は、上下に並行した端縁が成形され、前記穴部は、上下に並行した内端縁が形成され、前記爪部を前記穴部に係合すると前記爪部の上下に並行する端縁が前記穴部の上下に並行する内端縁に当接して係合がなされる、ことを特徴とする。
【手続補正６】
【補正対象書類名】明細書
【補正対象項目名】００１３
【補正方法】変更
【補正の内容】
【００１３】
また、前記金属板の短手方向両端の折り曲げ成形された一端側縁部と他端側縁部は、重なった前記両端側縁部同士がかしめ接合されていることを特徴とする。
【手続補正７】
【補正対象書類名】明細書
【補正対象項目名】００１４
【補正方法】変更
【補正の内容】
【００１４】
また、前記金属板を短手方向の所定の第１位置から長手方向に沿って折り返すことにより２枚重ね部位が成形されてなることを特徴とする。
【手続補正８】
【補正対象書類名】明細書
【補正対象項目名】００１５
【補正方法】変更
【補正の内容】
【００１５】
また、前記２枚重ね部位の短手方向の先端近傍の第２位置で長手方向に沿って折り曲げられることにより突縁が形成されていることを特徴とする。
【手続補正９】
【補正対象書類名】明細書
【補正対象項目名】００１６
【補正方法】変更
【補正の内容】
【００１６】
また、前記２枚重ね部位は、短手方向の端部から所定の間隔毎に長手方向に沿った空隙部が少なくとも１つ成形されてなることを特徴とする。
【手続補正１０】
【補正対象書類名】明細書
【補正対象項目名】００１７
【補正方法】変更
【補正の内容】
【００１７】
また、前記２枚重ね部位は、前記長手方向の空隙部から短手方向に延びる複数の空隙部が長手方向に所定の間隔を設けて成形されてなることを特徴とする。
【手続補正１１】
【補正対象書類名】明細書
【補正対象項目名】００１８
【補正方法】変更
【補正の内容】
【００１８】
また、前記２枚重ね部位の短手方向の先端部分が空隙部を有するように、前記金属板が前記第１位置から折り返されたことを特徴とする。
【手続補正１２】
【補正対象書類名】明細書
【補正対象項目名】００１９
【補正方法】変更
【補正の内容】
【００１９】
また、前記２枚重ね部位は、少なくとも１つの金属板の断面が短手方向に連続する波形が形成されるように、前記長手方向に空隙部が成形されたことを特徴とする。
【手続補正１３】
【補正対象書類名】明細書
【補正対象項目名】００２０
【補正方法】変更
【補正の内容】
【００２０】
また、前記２枚重ね部位の空隙部を設けている金属板の底部において、金属板同士が面接触し、かしめ接合され、または、前記２枚重ね部位は、前記長手方向の複数の空隙部が成形され、少なくとも１つの金属板の断面が短手方向に連続する矩形であって、前記金属板の断面矩形の各底部において、金属板同士が面接触しているとともにかしめ接合されている、ことを特徴とする。
【手続補正１４】
【補正対象書類名】明細書
【補正対象項目名】００２１
【補正方法】変更
【補正の内容】
【００２１】
また、前記２枚重ね部位は、前記長手方向の複数の空隙部と短手方向の複数の空隙部が交差するように成形されてなる、ことを特徴とする。
【手続補正１５】
【補正対象書類名】明細書
【補正対象項目名】００２２
【補正方法】変更
【補正の内容】
【００２２】
また、本発明は、略水平方向に延びる上下一対の横枠材と略鉛直方向に延びる左右一対の縦枠材からなり、該縦枠材の長手方向端面を前記横枠材の長手方向端部の内面に当接して、該縦枠材及び前記横枠材が直角に配置して結合され、全体として四角枠状に形成されているパチンコ機の外枠であって、上記縦枠材として上記いずれかに記載のパチンコ機の外枠用縦枠材を用いたことを特徴とする、パチンコ機用外枠である。
【手続補正１６】
【補正対象書類名】明細書
【補正対象項目名】００２３
【補正方法】変更
【補正の内容】
【００２３】
また、上記パチンコ機用外枠において、前記パチンコ機の外枠用縦枠材は、その長手方向の両端部の外面において、所定の開き角度で連なる２つ以上の固定板部で構成された第１結合具のいずれかの固定板部に面接触して固定されるとともに、長手方向端部の内面において、所定の開き角度で連なる２つ以上の固定板部で構成された第２結合具のいずれかの固定板部に面接触して固定されており、前記横枠材は、前記第１結合具及び前記第２結合具の他の固定板部間に挟まれた状態で前記外枠用縦枠材に対して直角になるように配置され、固定されてなることを特徴とする。
【手続補正１７】
【補正対象書類名】明細書
【補正対象項目名】００２４
【補正方法】変更
【補正の内容】
【００２４】
本発明のパチンコ機の外枠用縦枠材は、矩形の金属板を複数回長手方向に沿って折り曲げ成形されたものであって、該金属板の短手方向両端の折り曲げ成形された一端側縁部と、他端側縁部が重ね合わされて結合してなるものであって、薄い金属板を簡易な作業で十分に強度のある縦枠材に組み立てることができ、薄い金属板からなる縦枠材におけるビスによる結合作業が不要となる。
【手続補正１８】
【補正対象書類名】特許請求の範囲
【補正対象項目名】全文
【補正方法】変更
【補正の内容】
【特許請求の範囲】
【請求項１】
矩形の金属板を複数回長手方向に沿って折り曲げ成形されたものであって、該金属板の短手方向両端の折り曲げ成形された一端側縁部と、他端側縁部が重ね合わされてなり、
前記一端側縁部と他端側縁部とは、前記一端側縁部に穴部、他端側縁部に切り起こしによる爪部を設け、前記穴部と前記爪部との係合によって結合されていることを特徴とするパチンコ機の外枠用縦枠材。
【請求項２】
前記爪部は、前記他端側縁部の縁端から所定幅の位置において切り込まれた部位をその先端部が斜めに突出するように折り曲げて形成された金属片であって、前記爪部が前記穴部に嵌入して前記先端部が前記穴部の内面に当接した状態に維持されて前記爪部と前記穴部との係合がなされる、請求項１記載のパチンコ機の外枠用縦枠材。
【請求項３】
前記爪部は、上下に並行した端縁が成形され、前記穴部は、上下に並行した内端縁が形成され、前記爪部を前記穴部に係合すると前記爪部の上下に並行する端縁が前記穴部の上下に並行する内端縁に当接して係合がなされる、請求項１又は２に記載のパチンコ機の外枠用縦枠材。
【請求項４】
前記金属板の短手方向両端の折り曲げ成形された一端側縁部と他端側縁部は、重なった前記両端側縁部同士がかしめ接合されている請求項１乃至３のいずれかに記載のパチンコ機の外枠用縦枠材。
【請求項５】
前記金属板を短手方向の所定の第１位置から長手方向に沿って折り返すことにより２枚重ね部位が成形されてなる、請求項１乃至４のいずれかに記載のパチンコ機の外枠用縦枠材。
【請求項６】
前記２枚重ね部位の短手方向の先端近傍の第２位置で長手方向に沿って折り曲げられることにより突縁が形成されている請求項５に記載のパチンコ機の外枠用縦枠材。
【請求項７】
前記２枚重ね部位は、短手方向の端部から所定の間隔を有して長手方向に沿った空隙部が少なくとも１つ成形されてなる請求項５または６に記載のパチンコ機の外枠用縦枠材。
【請求項８】
前記２枚重ね部位は、前記長手方向の空隙部から短手方向に延びる複数の空隙部が長手方向に所定の間隔を設けて成形されてなる請求項５乃至７のいずれかに記載のパチンコ機の外枠用縦枠材。
【請求項９】
前記２枚重ね部位の短手方向の先端部分が空隙部を有するように、前記金属板が前記第１位置から折り返されたことを特徴とする、請求項５乃至８のいずれかに記載のパチンコ機の外枠用縦枠材。
【請求項１０】
前記２枚重ね部位は、少なくとも１つの金属板の断面が短手方向に連続する波形が形成されるように、前記長手方向に空隙部が成形されたことを特徴とする、請求項５乃至９のいずれかに記載のパチンコ機の外枠用縦枠材。
【請求項１１】
前記２枚重ね部位の空隙部を設けている金属板の底部において、金属板同士が面接触し、かしめ接合されていることを特徴とする、請求項７乃至９のいずれかに記載のパチンコ機の外枠用縦枠材。
【請求項１２】
前記２枚重ね部位は、前記長手方向の複数の空隙部が成形され、少なくとも１つの金属板の断面が短手方向に連続する矩形であって、前記金属板の断面矩形の各底部において、金属板同士が面接触しているとともにかしめ接合されている、請求項５乃至１０のいずれかに記載のパチンコ機の外枠用縦枠材。
【請求項１３】
前記２枚重ね部位は、前記長手方向の複数の空隙部と短手方向の複数の空隙部が交差するように成形されてなる、請求項７乃至１２のいずれかに記載のパチンコ機の外枠用縦枠材。
【請求項１４】
略水平方向に延びる上下一対の横枠材と略鉛直方向に延びる左右一対の縦枠材からなり、該縦枠材の長手方向端面を前記横枠材の長手方向端部の内面に当接して、該縦枠材及び前記横枠材が直角に配置して結合され、全体として四角枠状に形成されているパチンコ機の外枠であって、上記縦枠材として請求項１乃至１３のいずれかに記載のパチンコ機の外枠用縦枠材を用いたことを特徴とする、パチンコ機用外枠。
【請求項１５】
前記パチンコ機の外枠用縦枠材は、その長手方向の両端部の外面において、所定の開き角度で連なる２つ以上の固定板部で構成された第１結合具のいずれかの固定板部に面接触して固定されるとともに、長手方向端部の内面において、所定の開き角度で連なる２つ以上の固定板部で構成された第２結合具のいずれかの固定板部に面接触して固定されており、
前記横枠材は、前記第１結合具及び前記第２結合具の他の固定板部間に挟まれた状態で前記外枠用縦枠材に対して直角になるように配置され、固定されてなる請求項１４に記載のパチンコ機用外枠。